(57)【要約】      （修正有）【課題】例えばＡＬＣ等の吊り対象物に対する脱着をワンサイドアクセスにより極めて容易に行え、しかも、吊り上げ状態において抜出不能のしっかりとした引っ掛け状態を形成することができる吊り治具を提供する。【解決手段】吊り対象物に備えられた孔を利用して該吊り対象物を吊るのに用いられる吊り治具１であって、軸体からなる吊り治具本体部２と、引っ掛け部４と、作動部３からなり、作動部３が吊り治具本体部２の基端側に後退した解除状態において、引っ掛け部４は自重により回動し吊り治具本体部２と同一軸になり、吊り対象物の孔への引っ掛け部４の進出が許容され、作動部３が吊り治具本体部２の基端側から進出した固定状態において、引っ掛け部４は作動部３に付勢されて回動し、吊り対象物の孔からの引っ掛け部４の抜けが阻止されるようになされていることを特徴とする。【選択図】図１
2007302423.tif 000002
【特許請求の範囲】
【請求項１】
吊り対象物に備えられた孔を利用して該吊り対象物を吊るのに用いられる吊り治具であって、
前記孔に差し込み可能で、基端側に吊り手段に連結される吊り連結部が設けられた軸体からなる吊り治具本体部と、
該吊り治具本体部の基端側と反対の端部に回動可能に枢着された引っ掛け部と、
該吊り治具本体部に移動可能に取り付けられる作動部からなり、
前記作動部が吊り治具本体部の基端側に後退した解除状態において、前記引っ掛け部は自重により回動し該吊り治具本体部と同一軸になり、吊り対象物の孔への前記引っ掛け部の進出が許容され、
前記作動部が吊り治具本体部の基端側から進出した固定状態において、前記引っ掛け部は前記作動部に付勢されて回動し、吊り対象物の孔からの前記引っ掛け部の抜けが阻止されるようになされていることを特徴とする吊り治具。
【請求項２】
前記作動部が管体からなり、前記吊り治具本体部が前記作動部に挿設されている請求項１に記載の吊り治具。
【請求項３】
前記引っ掛け部の一方の端部であって、前記解除状態において吊り治具本体部側の端部が、もう一方の端部に向けて外方に傾斜する斜面に形成されている請求項１に記載の吊り治具。
【発明の詳細な説明】
【技術分野】
【０００１】
本発明は、ＡＬＣの吊り込みなどに用いられる吊り治具に関するものである。
【背景技術】
【０００２】
従来、例えば、ＡＬＣを梁間に設置する場合、図５（イ）に示すようにＡＬＣをナイロンスリング１２で玉掛けしたり、図５（ロ）に示すようにＡＬＣの外周部を引っ掛ける治具１３を用いて吊り込み、梁上に設置した後、人が手で再度持ち上げ敷きつめていた。
【０００３】
また、梁上に設置した後、人が手で再度持ち上げ敷きつめるといった２度手間を省くため、ＡＬＣに設けられた固定用の孔を利用して吊り治具で固定するといったことが行われている。
【０００４】
【特許文献１】実開平６−８５８５９号公報
【発明の開示】
【発明が解決しようとする課題】
【０００５】
しかし、開示されている吊り治具では、吊り治具の脱着に作動機構を作動させるためワイヤーを常に引っ張っておかなければならないといった問題点があった。
【０００６】
そこで、本発明では、上記のような問題点に鑑み、例えばＡＬＣ等の吊り対象物に対する吊り治具の脱着をワンサイドアクセスにより極めて容易に行え、しかも、吊り上げ状態において抜出不能のしっかりとした引っ掛け状態を形成することができる吊り治具を提供することを課題とする。
【課題を解決するための手段】
【０００７】
上記の課題は、吊り対象物に備えられた孔を利用して該吊り対象物を吊るのに用いられる吊り治具であって、
前記孔に差し込み可能で、基端側に吊り手段に連結される吊り連結部が設けられた軸体からなる吊り治具本体部と、
該吊り治具本体部の基端側と反対の端部に回動可能に枢着された引っ掛け部と、
該吊り治具本体部に移動可能に取り付けられる作動部からなり、
前記作動部が吊り治具本体部の基端側に後退した解除状態において、前記引っ掛け部は自重により回動し該吊り治具本体部と同一軸になり、吊り対象物の孔への前記引っ掛け部の進出が許容され、
前記作動部が吊り治具本体部の基端側から進出した固定状態において、前記引っ掛け部は前記作動部に付勢されて回動し、吊り対象物の孔からの前記引っ掛け部の抜けが阻止されるようになされていることを特徴とする吊り治具によって解決される。
【０００８】
この吊り治具では、吊り対象物への取付けは、引っ掛け部が自重により回動し吊り治具本体部と同一軸状態となる、作動部を吊り治具本体部の基端側に後退した解除状態で、吊り治具を吊り対象物の孔に差し込んだ後、作動部を吊り治具本体部の基端側から進出した固定状態にするだけでよく、また、吊り対象物からの取り外しは、作動部を吊り治具本体部の基端側に後退した解除状態で引き抜けばよく、吊り対象物に対する脱着をワンサイドアクセスにより極めて容易に行うことができる。
【０００９】
しかも、吊り対象物の孔に差し込んだ状態で作動部を保持している手を離すと自重により作動部は下方へ移動し固定状態となり、引っ掛け部を確実に吊り対象物に引っ掛けることができ、引っ掛け部を抜出不能のしっかりとした引っ掛け状態を形成することができ、吊り治具本体部が吊り対象物の孔から不本意に抜けてしまうのを確実に防ぐことができる。
【００１０】
また、吊り対象物の取外しも作動部を保持して引き抜くだけで、作動部は解除状態になるため、吊り対象物から引っ掛け部を抜き出す場合に特別な工程が必要ではなく、容易にしかも確実に引き抜くことができる。
【００１１】
また、上記の吊り治具において作動部が管体からなり、前記吊り治具本体部が前記作動部に挿設されていればよい。
【００１２】
この構造では、作動部が管体からなり、吊り治具本体と一体となっており、吊り治具本体部の長さ方向に移動可能に挿設されているので、吊り対象物に対する吊り治具の脱着時の操作を容易に行うことができる。
【００１３】
また、引っ掛け部の一方の端部であって、前記解除状態において吊り治具本体部側の端部が、もう一方の端部に向けて外方に傾斜する斜面に形成されていればよい。
【００１４】
引っ掛け部の一方の端部であって、前記解除状態において吊り治具本体部側の端部が、もう一方の端部に向けて外方に傾斜する斜面に形成されていると、作動部が自重により下がってきたとき付勢力が引っ掛け部にスムーズに伝わることで、引っ掛け部がひっかかり等なく円滑に回動する。
【発明の効果】
【００１５】
本発明は、以上のとおりのものであるから、例えばＡＬＣ等の吊り対象物に対する吊り治具の脱着をワンサイドアクセスにより極めて容易に行い、しかも、取付け状態において抜出不能のしっかりとした引っ掛け状態を形成することができる。
【発明を実施するための最良の形態】
【００１６】
次に、本発明の実施最良形態を図面に基づいて説明する。
【００１７】
図１に示す実施形態の吊り治具１は、ＡＬＣに備えられた孔を利用してＡＬＣを吊るのに用いられる吊り治具であって、吊り治具１において、２は吊り治具本体部、３は作動部、４は引っ掛け部であり、吊り治具本体部２の基端部にはリング状の吊り連結部５が設けられている。吊り治具本体部２は断面矩形状の軸体からなり、基端部と反対側の端部には、引っ掛け部４が回動可能にピン６により枢着されている。
【００１８】
引っ掛け部４は、図１に示すように中央部４ａとその両端に接続する係合部４ｂ、４ｂとからなる。係合部４ｂ、４ｂがプレート状の吊り治具本体部２の端部を挟むようにして吊り治具本体部２とピン６により回動可能に枢着されており、引っ掛け部４の重心位置はピン６の取り付け位置よりも引っ掛け部の中央部４ａ側にある。また、引っ掛け部４の中央部４ａと反対の端部は中央部４ａ側に向けて外方に傾斜する斜面４ｃが形成されている。
【００１９】
作動部３は図１に示すように、吊り治具本体部２の断面形状より大きい断面を有する管体からなり、吊り治具本体部２が作動部３に挿通され、作動部３が吊り治具本体部２に対して移動可能に取り付けられている。また、作動部３の引っ掛け部４と接する面は中央から側方へむけて外方に傾斜する２つの斜面３ａが形成されている。
【００２０】
上記の吊り治具１では、ＡＬＣ１０への取り付けは、次のようにして行う。図２（イ）に示すように、作動部３を手で持ち上げると作動部３に移動可能に挿設されている吊り治具本体部２は自重により作動部３に対して下方へ移動する。この解除状態において、吊り治具本体部２の端部にピン６により回動可能に枢着された引っ掛け部４は、自重により回転し中央部４ａが下になるように回動する。つまりピン取り付け位置より重心が中央部４ａ側にあるため、引っ掛け部４はピン６を中心に回動する。この解除状態では吊り治具本体部２と引っ掛け部４は同一軸となるため、図２（ロ）に示すように、吊り治具１は吊り対象物であるＡＬＣ１０に設けられた孔に挿通することができる。
【００２１】
図２（ロ）に示すように、引っ掛け部４がＡＬＣ１０の孔を通り過ぎた状態で、作動部３を持っていた手を吊り治具本体部２または吊り連結部５に持ち直すと、図２（ハ）に示すように作動部３は自重により下方へ下がり、図２（ニ）に示すように引っ掛け部４の端部に設けられた斜面４ｃが作動部３の端部に設けられた斜面３ａに付勢されることにより、引っ掛け部４は付勢され、ピン６を中心に回動する。
【００２２】
図２（ホ）に示すように、作動部３が完全に下がりきった固定状態において、引っ掛け部４はおおよそ水平となる。この固定状態において吊り治具１のリング状の吊り連結部５に、吊り手段としてのワイヤー１１を連結すれば、クレーン等によりＡＬＣ１０を吊り上げることができる。
【００２３】
一方、吊り治具の取外しは、次のようにして行えばよい。図３（イ）（ロ）に示すように、ＡＬＣ１０を建て込んだ状態で吊り手段としてのワイヤー１１を下げると吊り治具１は固定状態のまま自重により下方へ下がっていく。その後、図３（ハ）（ニ）に示すように、作動部３を手で持ち上げると作動部３は吊り治具本体部２に対して上方に移動するため、固定状態が開放されるに従い、引っ掛け部４は固定状態を解除されて自重によりピン６を中心に回動し、作動部３が解除状態で吊り治具本体部２と引っ掛け部４は同一軸となる。その後、図３（ホ）（へ）に示すように、そのまま作動部３を持ち上げ、ＡＬＣ１０の孔から作動部３が解除状態で吊り治具本体部２と引っ掛け部４が同一軸となった吊り治具１を抜き取ればよい。
【００２４】
この吊り治具では、吊り対象物への取付けは、引っ掛け部が自重により回動し吊り治具本体部と同一軸状態となる作動部を吊り治具本体部の基端側に後退した解除状態で、吊り治具を吊り対象物の孔に差し込んだ後、作動部を吊り治具本体部の基端側から進出した固定状態にするだけでよく、また、吊り対象物からの取り外しは、作動部を吊り治具本体部の基端側に後退した解除状態で引き抜けばよく、吊り対象物に対する脱着をワンサイドアクセスにより極めて容易に行うことができる。
【００２５】
しかも、吊り対象物の孔に差し込んだ状態で作動部を保持している手を離すと自重により作動部は下方へ移動し固定状態となり、引っ掛け部を確実に吊り対象物に引っ掛けることができ、引っ掛け部を抜出不能のしっかりとした引っ掛け状態を形成することができ、吊り治具本体部が吊り対象物の孔から不本意に抜けてしまうのを確実に防ぐことができる。
【００２６】
また、吊り対象物の取外しも作動部を保持して引き抜くだけで、作動部は解除状態になるため、吊り対象物から引っ掛け部を抜き出す場合に特別な工程が必要ではなく、容易にしかも確実に吊り対象物から吊り治具を引き抜くことができる。特に、作動部３の端部および引っ掛け部４の端部に斜面３ａ、４ｃを形成しているため、引っ掛け部の回動がスムーズに行われる。
【００２７】
以上に、本発明の実施形態を示したが、本発明はこれに限られるものではなく、発明思想を逸脱しない範囲で各種の変更が可能である。例えば、上記実施形態では、吊り対象物がＡＬＣである場合を示したが、これに限らず、孔が備えられた各種の吊り対象物であってもよい。
【００２８】
また、吊り治具本体部や作動部、引っ掛け部、吊り連結部等の具体的形態に制限はなく、断面形状についても図４（イ）乃至（ハ）に示すように、円形、円管形など各種形態であってもよい。
【００２９】
また作動部、引っ掛け部の端部に設けた斜面について形態が直線状である場合について示したが、この角度についても特に制限はなく、引っ掛け部の回動がスムーズに行われる角度であればよい。また形態についても円弧状など各種形態であってもよい。
【図面の簡単な説明】
【００３０】
【図１】実施形態の吊り治具を示すもので、図（イ）は正面図、図（ロ）は側面図、図（ハ）は図（イ）のＡ−Ａ´断面図である。
【図２】図（イ）〜図（へ）は、吊り対象物への取り付け方法を順次に示す一部断面正面図である。
【図３】図（イ）〜図（へ）は、吊り対象物からの取り外し方法を順次に示す一部断面正面図である。
【図４】他の実施形態の吊り治具を示すもので、図（イ）は正面図、図（ロ）は側面図、図（ハ）は図（イ）のＢ−Ｂ´断面図である。
【図５】図（イ）、（ロ）は従来の実施例を示す正面図である。
【符号の説明】
【００３１】
１・・・吊り治具
２・・・吊り治具本体部
３・・・作動部
４・・・引っ掛け部
５・・・吊り連結部
６・・・ピン
１０・・・ＡＬＣ（吊り対象物）
１１・・・ワイヤー（吊り手段）
【図１】
2007302423.tif 000003
【図２】
2007302423.tif 000004
【図３】
2007302423.tif 000005
【図４】
2007302423.tif 000006
【図５】
2007302423.tif 000007